(57)【要約】【課題】  ＦＰＣを効率良く収納して小型化されたレンズ鏡筒及びレンズユニットを提供する。【解決手段】  移動筒４１は、固定筒４０によって光軸方向に移動自在に保持されている。この移動筒４１には、その厚さ内で光軸と略平行に収納部４１ｃが形成されている。この収納部４１ｃは開口であり、内周面側が位置検出センサ７０によって覆われている。ＦＰＣ７２の一端は、位置検出センサ７０に接続され、他端が固定筒４０内のユニット制御部７１に接続されている。このＦＰＣ７２は、余長部分がＵ字状に湾曲されて収納部４１ｃに収納される。このため、移動筒４１の位置に応じてＦＰＣ７２に生じる余長部分が収納部４１ｃに収納される。また、収納部４１ｃの幅は、ＦＰＣ７２の幅と略等しくされており、ＦＰＣ７２の幅方向の移動が規制されている。【選択図】        図５
2006276442.tif 000002
【特許請求の範囲】
【請求項１】
レンズを保持する移動筒と、この移動筒よりも外側に配され、前記移動筒を光軸方向に移動自在に保持する固定筒と、前記移動筒内の電気部品と前記固定筒内またはカメラ本体内の電気部品とを電気的に接続する帯状のフレキシブルプリント基板とを備えたレンズ鏡筒において、
前記移動筒の厚さ内で前記光軸と略平行に形成され、前記フレキシブルプリント基板の余長部分を前記光軸方向にＵ字状に湾曲させて収納する収納部を備えていることを特徴とするレンズ鏡筒。
【請求項２】
前記収納部の幅は、前記フレキシブルプリント基板の幅と略等しくされていることを特徴とする請求項１記載のレンズ鏡筒。
【請求項３】
前記収納部は開口であり、この開口は内周面側が前記移動筒内の電気部品によって覆われ、前記フレキシブルプリント基板がこの電気部品に電気的に接続されていることを特徴とする請求項１または請求項２記載のレンズ鏡筒。
【請求項４】
前記移動筒は、前記光軸方向に移動自在なレンズを保持し、前記電気部品は、前記レンズの位置を検出する位置検出センサであることを特徴とする請求項３記載のレンズ鏡筒。
【請求項５】
請求項１ないし請求項４のいずれか記載のレンズ鏡筒と、このレンズ鏡筒内に配置され、被写体像を撮像する撮像素子とを備え、カメラ本体に着脱自在に装着されることを特徴とするレンズユニット。
【発明の詳細な説明】
【技術分野】
【０００１】
本発明は、レンズを保持する移動筒と、この移動筒を光軸方向に移動自在に保持する固定筒とを備えたレンズ鏡筒及びレンズユニットに関する。
【背景技術】
【０００２】
従来、レンズを保持する移動筒と、この移動筒を光軸方向に移動自在に保持する固定筒とを備えたレンズ鏡筒が知られている。このようなレンズ鏡筒では、移動筒内の電気部品、例えば、レンズを光軸方向に移動させるためのアクチュエータや、レンズの光軸方向の位置を検出するセンサ等が設けられている。このため、電気部品への電源供給や、センサの出力信号を固定筒側へ送信する必要があり、移動筒内の電気部品と固定筒側またはカメラ本体側の電気部品とを電気的に接続するために、フレキシブルプリント基板（以下、ＦＰＣと称する）が用いられている。
【０００３】
このようなＦＰＣは、固定筒に対して移動筒が光軸方向に移動しても、その柔軟性によって電気接続が確実に保たれる。しかし、移動筒が光軸方向後端側に移動した時に、ＦＰＣの余長によって撓みが生じる。このため、ＦＰＣが周辺の部品と接触して損傷する等の問題があった。このような問題を解決するために、移動筒と固定筒との隙間にＦＰＣの余長部分を収納する収納部を設けたレンズ鏡筒が知られている（例えば、特許文献１参照）。また、この収納部を移動筒内に設けたレンズ鏡筒が知られている（例えば、特許文献２〜特許文献４参照）。
【特許文献１】特開平５−２７３１１号公報
【特許文献２】特開平７−１１０４２２号公報
【特許文献３】特開２００４−１６３７４８号公報
【特許文献４】実開昭６４−４３３３６号公報
【発明の開示】
【発明が解決しようとする課題】
【０００４】
しかしながら、上記特許文献１〜特許文献４に記載のレンズ鏡筒は、移動筒内や、固定筒と移動筒との隙間に、ＦＰＣを収納する収納部を設けているため、レンズ鏡筒の外径を大きくする必要があり、レンズ鏡筒を小型化することが難しいという問題があった。
【０００５】
本発明は上記事情に鑑みてなされたものであり、ＦＰＣを効率良く収納して小型化することが可能なレンズ鏡筒及びレンズユニットを提供することを目的とする。
【課題を解決するための手段】
【０００６】
上記課題を解決するために、本発明のレンズ鏡筒は、レンズを保持する移動筒と、この移動筒よりも外側に配され、前記移動筒を光軸方向に移動自在に保持する固定筒と、前記移動筒内の電気部品と前記固定筒内またはカメラ本体内の電気部品とを電気的に接続する帯状のフレキシブルプリント基板とを備えたレンズ鏡筒であり、前記移動筒の厚さ内で前記光軸と略平行に形成され、前記フレキシブルプリント基板の余長部分を前記光軸方向にＵ字状に湾曲させて収納する収納部を備えていることを特徴とするものである。
【０００７】
また、前記収納部の幅は、前記フレキシブルプリント基板の幅と略等しくされていることが好ましい。
【０００８】
さらに、前記収納部は開口であり、この開口は内周面側が前記移動筒内の電気部品によって覆われ、前記フレキシブルプリント基板がこの電気部品に電気的に接続されていることが好ましい。
【０００９】
また、前記移動筒は、前記光軸方向に移動自在なレンズを保持し、前記電気部品は、前記レンズの位置を検出する位置検出センサであることが好ましい。
【００１０】
本発明のレンズユニットは、前述のレンズ鏡筒と、このレンズ鏡筒内に配置され、被写体像を撮像する撮像素子とを備え、カメラ本体に着脱自在に装着されることを特徴とするものである。
【発明の効果】
【００１１】
本発明のレンズ鏡筒によれば、ＦＰＣの余長部分を収納する収納部が、移動筒の厚さ内で光軸方向に沿って形成されているので、レンズ鏡筒の外径を大きくして、ＦＰＣの余長分を退避させるスペースを設ける必要がない。このため、レンズ鏡筒を小型化することが可能である。
【００１２】
また、収納部の幅が、ＦＰＣの幅と略等しくされているので、ＦＰＣの幅方向のずれを防止することができる。このため、幅方向のずれによってＦＰＣに力が加わって、接触不良等が生じることを防止できる。
【００１３】
さらに、収納部が開口にされており、この開口の内周面側が移動筒内の電気部品によって覆われているので、この電気部品とフレキシブルプリント基板との接続が容易である。
【発明を実施するための最良の形態】
【００１４】
図１に示すレンズユニット１０は、カメラ本体１１に着脱自在に装着される交換式のレンズ鏡筒であり、後述するように、撮像素子であるＣＣＤが収納されている。このレンズユニット１０の前面には、対物レンズ２０と、オートフォーカスセンサ（以下、ＡＦセンサと称する）２１とが露呈されており、背面には、マウント部２２が設けられている。
【００１５】
カメラ本体１１の前面には、マウント部３０と、リリースボタン３１と、ストロボ光を被写体に向けて発光するストロボ発光部３２とが設けられている。また、上面には、電源ボタン３３、シャッタボタン３４、及び操作ダイヤル３５で構成される操作部３６が設けられている。電源ボタン３３は、カメラ本体１１の電源をＯＮまたはＯＦＦにする際に、押圧操作される。シャッタボタン３４は、撮影を行う際に押圧操作される。また、操作ダイヤル３５は、撮影モードと、再生モードとを切り替える際に操作される。また、図示せぬ背面には、画像や設定画面等を表示するＬＣＤが設けられている。
【００１６】
レンズユニット１０をカメラ本体１１に装着する際は、マウント部２２をマウント部３０に形成された凹部３０ａに挿入することによって、レンズユニット１０をカメラ本体１１に装着する。このように、レンズユニット１０がカメラ本体１１に装着されると、レンズユニット１０とカメラ本体１１とが電気的に接続される。リリースボタン３１は、カメラ本体１１からレンズユニット１０を取り外す時に押圧操作される。
【００１７】
また、レンズユニット１０は、フォーカスリング２３、ズームリング２４、及び絞りリング２５を備えている。これらのリング２３〜２５の外周面には、ロック解除ボタン２６が各々に設けられており、ロック解除ボタン２６を押圧操作することにより、これらが回転操作可能となる。
【００１８】
このレンズユニット１０は、ズームリング２４が絞りリング２５に隣接してユニット全長が短縮される短縮位置と、ズームリング２４を前方に移動させてユニット全長が伸長された伸長位置との間でユニット全長が伸縮可能にされている。ズームリング２４は、伸長位置に移動された時に回転操作可能となる。
【００１９】
レンズユニット１０は、図２〜図４に示すように、固定筒４０、移動筒４１、カム筒４２、及びカバー筒４３を備えて構成されている。固定筒４０の背面には、前述のマウント部２２が設けられており、固定筒４０は、カメラ本体１１に固定される。また、固定筒４０の前端部には、３本のガイド軸（図示せず）が設けられている。このガイド軸は、外周面及び内周面から先端が突出されており、３本のガイド軸が、光軸Ｌを中心とする周方向の３分割位置に配置されている。また、後端部の外周面には、絞りリング２５が回転自在に設けられている。
【００２０】
移動筒４１は、固定筒４０よりも内側に配置されている。図５に示すように、この移動筒４１には、光軸Ｌと略平行に形成され、前述のガイド軸と係合する３本のガイド溝４１ａが設けられている。このため、移動筒４１は、固定筒４０によって回転止めされ、固定筒４０内に収納されてユニット全長が短縮される短縮位置（図２に示す位置）と、短縮位置よりも光軸Ｌ方向前方に移動され、ユニット全長が伸長される伸長位置（図３に示す位置）との間で移動自在に保持されている。
【００２１】
また、カム筒４２は、固定筒４０よりも外側に配置され、移動筒４１によって回転自在に保持されている。また、カバー筒４３は、カム筒４２よりも外側に配置され、カム筒４２を覆うように設けられている。このカバー筒４３は、移動筒４１に固定されており、カバー筒４３の前端は、移動筒４１の前端よりも前方に突出している。また、ガバー筒４３の外側には、フォーカスリング２３と、ズームリング２４とが配置されており、これらのリング２３，２４が、カバー筒４３の所定位置で回転自在に保持されている。
【００２２】
このように、カム筒４２及びカバー筒４３は、移動筒４１によって保持されており、フォーカスリング２３及びズームリング２４は、カバー筒４３によって保持されている。このため、ズームリング２４を短縮位置（図２に示す位置）から伸長位置（図３に示す位置）に移動させた時に、固定筒４０に対して、これらが一体となって移動する。
【００２３】
また、レンズユニット１０内には、撮影レンズと、この撮影レンズによって結像された被写体像を撮像するＣＣＤ５１とが設けられている。撮影レンズは、第１群レンズである対物レンズ２０と、第２群レンズ５２と、第３群レンズ５３と、第４群レンズ５４とで構成されている。
【００２４】
移動筒４１は、対物レンズ２０と、第２群レンズ５２と、位置検出センサ７０とを保持している。また、固定筒４０は、絞り機能を有するシャッタユニット５５と、第３群レンズ５３と、フィルタユニット５６と、第４群レンズ５４と、ＣＣＤ５１と、ユニット制御部７１とを保持している。
【００２５】
対物レンズ２０は、レンズ保持枠５８によって保持されており、このレンズ保持枠５８が移動筒４１の前面に固定されている。第２群レンズ５２は、移動筒４１内に配置されている。第２群レンズ５２は、ズームレンズであり、光軸Ｌに沿って移動自在に保持されている。位置検出センサ７０は、第２群レンズ５２の光軸Ｌ方向の位置を検出する。
【００２６】
また、シャッタユニット５５は、固定筒４０内の前端部に配置されている。また、このシャッタユニット５５の背後には、第３群レンズ５３、フィルタユニット５６が順に配置されている。第３群レンズ５３は、レンズ保持枠６９によって保持されており、このレンズ保持枠６９は、固定筒４０に固定されている。また、シャッタユニット５５及びフィルタユニット５６は、このレンズ保持枠６９によって保持されている。フィルタユニット５６は、撮影光の光路にＮＤフィルタを挿脱自在に挿入することによって、ＣＣＤ５１に入射する撮影光を減光する。
【００２７】
また、第４群レンズ５４は、フォーカスレンズであり、フィルタユニット５６の背後に配置されている。この第４群レンズ５４は、レンズ保持枠６０によって保持されている。レンズ保持枠６０は、フォーカスモータ６１の駆動軸６１ａと螺合しており、さらに、ガイド軸６２によって回転止めされている。このため、フォーカスモータ６１が回転駆動されると、第４群レンズ５４が光軸Ｌに沿って進退移動する。また、第４群レンズ５４の後方には、ＣＣＤ５１が配置されており、ＣＣＤ５１の背後には、ユニット制御部７１が配置されている。このユニット制御部７１は、レンズユニット１０内の各部を制御する。
【００２８】
ＡＦセンサ２１は、ＦＰＣ６６に実装された状態で、移動筒４１の前面に設けられており、ＦＰＣ６６は、対物レンズ２０の外周に沿って配置されている。また、カバー筒４３の前面には、化粧板６７が設けられている。この化粧板６７には、対物レンズ２０を露呈させる開口６７ａと、ＡＦセンサ２１を露呈させる開口６７ｂとが形成されており、対物レンズ２０及びＡＦセンサ２１が外部に露呈される。
【００２９】
第２群レンズ５２は、レンズ保持枠６８によって保持されている。このレンズ保持枠６８には、３本のカムフォロワー６８ａが設けられており、光軸Ｌを中心とする周方向の３分割位置に配置されている。また、移動筒４１には、光軸Ｌと略平行な３本の直進ガイド溝４１ｂが形成されている。これらの直進ガイド溝４１ｂは、カムフォロワー６８ａに対応する位置に形成されており、カムフォロワー６８ａが挿通されて、カムフォロワー６８ａの先端が突出される。レンズ保持枠６８は、これらの直進ガイド溝４１ｂによって回転止めされる。
【００３０】
また、カム筒４２には、カムフォロワー６８ａと係合するカム開口４２ａと、連結ピン４２ｂと、前述のガイド軸と係合する係合溝４２ｃとが設けられている。カム開口４２ａは、直進ガイド溝４１ｂから突出するカムフォロワー６８ａの先端部と係合する。このため、カム筒４１が回転されると、カム開口４２ａの光軸Ｌ方向への変位に応じて、第２群レンズ５２が、ワイド端（図３に示す位置）とテレ端（図４に示す位置）との間で光軸Ｌに沿って移動する。
【００３１】
カバー筒４３には、光軸Ｌを中心とする周方向に沿って開口４３ａが形成されている。この開口４３ａには、連結ピン４２ｂが挿通されて先端が突出される。連結ピン４２ｂの先端部は、ズームリング２４の内周面に形成された係合穴２４ａと係合し、カム筒４２とズームリング２４とが連結される。このため、ズームリング２４が回転操作されると、カム筒４２が一体となって回転する。
【００３２】
係合溝４２ｃは、前述のガイド軸と係合して、ズームリング２４が短縮位置にある時に、ズームリング２４が直進方向（光軸Ｌ方向）移動されることを規制し、ズームリング２４が短縮位置と伸長位置との間にある時に、ズームリング２４の直進方向への移動を案内するとともに、ズームリング２４が回転されることを規制する。また、ズームリング２４が伸長位置にある時に、ズームリング２４の回転を案内するとともに、直進方向への移動を規制する。
【００３３】
また、前述のフォーカスリング２３及び絞りリング２５は、焦点調節、及び絞りの開口径の調節を手動で行う場合に、撮影者によって回転操作される。これらの回転位置は、回転位置検出センサ（図示せず）によって検出され、これらの回転位置検出センサによって検出された回転位置に基づいて、第４群レンズ５４の位置、及びシャッタユニット５５の絞りの開口径が変更される。
【００３４】
また、移動筒４１内には、前述したように、位置検出センサ７０が設けられている。この位置検出センサ７０は、センサ本体７０ａと、光軸Ｌ方向に移動自在な係合部７０ｂと、接続端子７０ｃとを備えている。また、移動筒４１には、その厚さ内に収納部４１ｃが形成されている。この収納部４１ｃは、光軸Ｌと略平行に形成された開口である。
【００３５】
センサ本体７０ａは、略矩形板形状にされており、前述の収納部４１ｃの内周面側を覆うように、光軸Ｌと略平行に配置されている。また、接続端子７０ｃは、センサ本体７０ａの外周面側に設けられており、収納部４０ｃ内に配置される。このため、後述するＦＰＣ７２を接続端子７０ｃに容易に接続することができる。
【００３６】
係合部７０ｂは、センサ本体７０ａの内周面側に配置されており、レンズ保持枠６８に形成された凹部６８ｂと係合する。このため、レンズ保持枠６８の移動により、光軸Ｌ方向に移動する。センサ本体７０ａは、係合部７０ｂの位置に基づいて、第２群レンズ５２の光軸Ｌ方向の位置を検出し、検出信号を出力する。
【００３７】
この検出センサ７０は、例えば、抵抗値の変化によって位置検出を行う。この場合、光軸Ｌと略平行な２本の導電部材をセンサ本体７０ａに形成し、これらの導電部材を短絡する接片を係合部７０ｂに設ける。係合部７０ｂが光軸Ｌ方向に移動した時に、この接片が、２本の導電部材と摺接する。センサ本体７０ａは、２本の導電部材間の抵抗値変化に基づいて、第２群レンズ５２の位置を検出する。
【００３８】
前述の接続端子７０ｃには、帯状のＦＰＣ７２の一端が接続され、他端は、固定筒４０内のユニット制御部７１と接続されている。ＦＰＣ７２の長さは、移動筒４１が伸長位置に移動された時の接続端子７０ｃとユニット制御部７１との間の距離よりも長くされている。また、ＦＰＣ７２は、余長部分が光軸Ｌ方向にＵ字状に湾曲されて、収納部７１に収納され、ＦＰＣ７２は、位置検出センサ７０によって支持される。また、収納部４１ｃの幅は、ＦＰＣ７２の幅と略等しくされており、ＦＰＣ７２の幅方向の移動が規制されている。
【００３９】
移動筒４１が収納位置に移動された時に、ＦＰＣ７２の余長部分は、図６（Ａ）に示すように、収納部４１ｃに収納されている。また、図６（Ａ）に示す状態から、移動筒４１が光軸Ｌ方向前方に移動すると、接続端子７０ｃが前方に移動して、ＦＰＣ７２の余長部分が収納部４１ｃから引き出されて、移動筒４１が伸長位置まで移動された場合、ＦＰＣ７２の湾曲部７２ａは、図６（Ｂ）に示す位置まで移動する。なお、図６において、図の煩雑化をさけるため、カム筒４２、カバー筒４３、ズームリング２４等の図示を省略した。
【００４０】
このように、収納部４３ｃには、移動筒４１の位置に応じてＦＰＣ７２に発生する余長部分が収納されるので、ＦＰＣ７２に撓みが発生することを防止できる。また、ＦＰＣ７２の幅方向の移動が規制されているので、移動筒４１が収納位置と伸長位置との間で移動された時に、ＦＰＣ７２の幅方向のずれが防止される。このため、幅方向のずれによってＦＰＣ７２に力が加わって、接触不良等が発生することを防止することができる。
【００４１】
このように、ＦＰＣ７２の余長部分を収納する収納部４１を移動筒４１の厚さ内に形成することによって、移動筒４１内や、固定筒４０と移動筒４１との隙間等に、ＦＰＣ７２の収納部を設ける場合と比べて、レンズユニット１０の外径を小さくして小型化することが可能である。
【００４２】
次に、レンズユニット１０の電気的構成について説明する。図７に示すように、レンズユニット１０には、ユニット内の各部を制御するユニット制御部７１が設けられている。ユニット制御部７１は、各部を制御する制御プログラムが記憶されたＲＯＭと、作業用データを一時的に記憶するＲＡＭとを備えている。ユニット制御部７１は、この制御プログラムに基づいて各部を制御する。
【００４３】
ユニット制御部７１には、ＡＦセンサ２１、モータドライバ９１、及び角度検出センサ９２，９３が接続されている。ＡＦセンサ２１は被写体距離を検出し、ユニット制御部７１に出力する。モータドライバ９１は、フォーカスモータ６１に接続されており、ユニット制御部７１は、ＡＦセンサ２１によって検出された被写体距離に基づいて、モータドライバ９１を制御してフォーカスモータ６１を駆動する。このフォーカスモータ６１によって、第４群レンズ５４が光軸Ｌ１に沿って進退移動され、焦点調節が行われる。
【００４４】
また、回転位置検出センサ９２は、フォーカスリング２３の回転位置を検出し、回転位置検出センサ９３は、絞りリング２５の回転位置を検出する。ユニット制御部７１は、フォーカスリング２３が回転操作された時に、この回転位置に基づいて第４群レンズ５４を移動させて焦点調整を行う。また、ユニット制御部７１は、絞りリング２５が回転操作された時に、この回転位置に基づいて、シャッタユニット５５及びフィルタユニット５６を制御して、ＣＣＤ５１に入射する撮影光の光量を調節する。また、ユニット制御部７１は、ＦＰＣ７２を介して位置検出センサ７０から検出信号を取得して、第２群レンズ５２の位置を判定する。
【００４５】
また、ユニット制御部７１には、ＣＣＤドライバ９５を介してＣＣＤ５１が接続されている。ユニット制御部７１は、ＣＣＤドライバ９５を制御してＣＣＤ５１を駆動する。ＣＣＤ５１は、光電変換により被写体像を電気信号に変換して、アナログ信号である画像データを取得する。
【００４６】
さらに、このＣＣＤ５１は、アナログ信号処理部９６と接続されており、画像データをアナログ信号処理部９６に出力する。このアナログ信号処理部９６は、データバス９７を介してユニット制御部７１に接続されており、ユニット制御部７１によって制御される。アナログ信号処理部９６は、画像データに対してノイズの除去や増幅処理を施して、Ａ／Ｄ変換器９８に出力する。Ａ／Ｄ変換器９８は、画像データをアナログ信号からデジタル信号に変換する。
【００４７】
Ａ／Ｄ変換器９８には、ＡＥ／ＡＦ検出部９９が接続されており、デジタル信号に変換された画像データを出力する。ＡＥ／ＡＦ検出部９９は、ユニット制御部７１によって制御され、画像データの高周波成分の振幅値が最大となる合焦位置を検出してＡＦ検出値を出力する。さらに、ＡＥ／ＡＦ検出部９９は、露出が最適となるＡＥ検出値を検出してＡＥ検出値を出力する。
【００４８】
ユニット制御部７１は、ＡＦセンサ２１によって検出された被写体距離に基づいて第４群レンズ５４の位置調整を行った後、ＡＥ／ＡＦ検出部９９から取得したＡＦ検出値に基づいて、第４群レンズ５４の位置を微調整する。さらに、ユニット制御部７１は、ＡＥ検出値に基づいて、シャッタユニット５５及びフィルタユニット５６を制御して、ＣＣＤ５１に入射する撮影光の光量を調節する。
【００４９】
また、ユニット制御部７１には、データバス９７を介して、シリアルドライバ１００及び電源制御部１０１が接続されている。ユニット制御部７１は、シリアルドライバ１００を制御し、マウント部２２の背面に設けられたマウント接点１０２、及びカメラ本体１１のマウント部３０に設けられたマウント接点１０３を介して、カメラ本体１１との間で各種操作信号や画像データの送受信を行う。
【００５０】
つまり、ユニット制御部７１は、シリアルドライバ１００を制御して、Ａ／Ｄ変換器９８によってデジタル信号化された画像データをシリアル信号に変換して、カメラ本体１１に出力する。
【００５１】
電源制御部１０１は、マウント接点１０２に接続されている。電源制御部１０１は、マウント接点１０２，１０３を介して、カメラ本体１１から給電される。ユニット制御部７１は、電源制御部１０１を制御してレンズユニット１０内の各部に給電させる。また、ユニット制御部７１は、マウント接点１０２，１０３を介して、カメラ本体１１内の制御部９０から制御信号を取得し、この制御信号に基づいてユニット内の各部を制御する。
【００５２】
次に、カメラ本体１１の電気的構成について説明する。カメラ本体１１には、本体内の各部を制御する制御部１１０が設けられている。制御部１１０は、各部を制御する制御プログラムが記憶されたＲＯＭと、作業用データを一時的に記憶するＲＡＭとを備えている。制御部９０は、この制御プログラムに基づいて各部を制御する。
【００５３】
デジタル信号処理部１１１は、データバス１１２を介してメモリ１１３が接続されている。このデジタル信号処理部１１１は、画像データをレンズユニット１０から取得して、画像データをメモリ１１３に記憶させる。デジタル信号処理部１１１は、画像データがメモリ１１３に記憶されている時に、画像データに対して階調変換、ホワイトバランス補正、γ補正等の各種画像処理、ＹＣ変換処理等を施す。
【００５４】
撮影モードにおいて、デジタル信号処理部１１１は、撮影処理が実行される前に、画像データに対して簡易な画像処理と簡易なＹＣ処理とを施して、ＬＣＤドライバ１１５に出力する。制御部１１０は、ＬＣＤドライバ１１５を制御して画像データをＬＣＤ１１６にスルー画として表示させる。
【００５５】
また、撮影処理が実行された時に、デジタル信号処理部１１１は、画像データに対して画像処理、ＹＣ変換処理、及び圧縮処理等を施す。制御部１１０には、メディアコントローラ１１７に接続されており、メディアコントローラ１１７を制御して、圧縮処理された画像データを記録メディア１１８に記録させる。
【００５６】
また、再生モードでは、制御部１１０が、メディアコントローラ１１７を制御して、記録メディア１１８から画像データを読み出させ、デジタル信号処理部１１１によって伸張処理が施された後、画像データを再生画像としてＬＣＤ１１６に表示させる。
【００５７】
また、制御部１１０には、操作部３６、及びストロボ制御部１１９が接続されている。制御部１１０は、操作部３６から各種操作信号を取得して、各操作信号に対応する処理を実行する。ストロボ制御部１１９には、ストロボ発光部３２が接続されている。制御部１１０は、ストロボ制御部１１９を制御して、ストロボ発光部３２を発光させる。
【００５８】
また、制御部１１０には、データバス１１２を介して、シリアルドライバ１２０及び電源制御部１２１が接続されている。制御部１１０は、シリアルドライバ１２０を制御し、マウント接点１０２，１０３を介して、レンズユニット１０との間で各種操作信号や画像データの送受信を行う。
【００５９】
電源制御部１２１は、バッテリ１２２に接続されている。この電源制御部１２１は、制御部１１０によって制御され、バッテリ１２２の出力電圧を所定電圧に変圧し、カメラ本体１１内の各部に給電を行う。また、電源制御部１２１は、マウント接点１０３と接続されており、マウント接点１０２，１０３を介してレンズユニット１０に対して給電を行う。
【００６０】
なお、上記実施形態において、ズームリングの操作でユニット全長を伸縮することが可能なレンズユニットを例に説明したが、これに限るものではなく、移動筒が固定筒に対して回転止めされ、光軸方向に進退移動するレンズ鏡筒であれば良い。また、移動筒内のレンズがカム筒によって移動する場合を例に説明したが、これに限るものではなく、移動筒内のレンズがアクチュエータによって移動しても良い。
【００６１】
また、上記実施形態において、撮影レンズを４群レンズで構成する場合を例に説明したが、これに限るものではなく、撮影レンズの構成は適宜変更可能である。
【００６２】
さらに、上記実施形態において、ＦＰＣを収納する収納部として、移動筒の厚さ内で、光軸方向に沿って開口を形成する場合を例に説明したが、これに限るものではなく、ＦＰＣを収納できれば、開口でなくても良く、例えば、光軸方向に沿って形成した溝でも良い。この場合、移動筒内の電気部品とＦＰＣの一端とを接続するために、溝の一部に開口を形成すれば良い。
【００６３】
また、上記実施形態において、収納部の幅をＦＰＣの幅と略等しくする場合を例に説明したが、ＦＰＣよりも収納部の幅を大きくても良い。しかし、ＦＰＣの幅方向の移動を規制するために、収納部の幅をＦＰＣの幅と略等しくすることが好ましい。
【００６４】
また、移動筒内のレンズ位置を検出する位置検出センサにＦＰＣを接続する場合を例に説明したが、これに限るものではなく、移動筒内の他の電気部品にＦＰＣを接続しても良い。例えば、ＦＰＣをＡＦセンサに接続しても良いし、移動筒内のレンズがアクチュエータによって光軸方向に移動される場合は、ＦＰＣをアクチュエータに接続しても良い。また、ＦＰＣを移動筒内の複数の電気部品に接続しても良い。
【００６５】
また、上記実施形態において、撮像素子としてＣＣＤを用いる場合を例に説明したが、これに限るものではなく、例えば、ＣＭＯＳイメージセンサを用いても良い。
【００６６】
さらに、上記実施形態において、レンズ鏡筒内に撮像素子を備えたレンズユニットを例に説明したが、撮像素子を備えていない通常のレンズ鏡筒にも本発明を適用できる。また、カメラ本体に着脱自在のレンズ鏡筒ではなく、カメラ本体に一体に設けられたレンズ鏡筒に本発明を適用しても良い。この場合、ＦＰＣの一端を移動筒内の電気部品に接続し、他端をカメラ本体内の電気部品に接続すれば良い。
【００６７】
さらに、上記実施形態において、本発明をデジタルカメラに適用した場合を例に説明したが、これに限るものではなく、デジタルビデオカメラや銀塩カメラ等に本発明を適用しても良い。
【図面の簡単な説明】
【００６８】
【図１】レンズユニットの構成を示す斜視図である。
【図２】レンズユニットの構成を示す断面図であり、レンズユニットの短縮状態を示している。
【図３】レンズユニットの構成を示す断面図であり、レンズユニットの伸長状態において、第２群レンズがワイド端にある状態を示している。
【図４】レンズユニットの構成を示す断面図であり、レンズユニットの伸長状態において、第２群レンズがテレ端にある状態を示している。
【図５】収納部の構成を示す移動筒の斜視図である。
【図６】短縮位置と伸長位置との間で移動筒が移動した時のＦＰＣの移動を示す説明図である。
【図７】レンズユニット及びカメラ本体の電気的構成を示すブロック図である。
【符号の説明】
【００６９】
１０  レンズユニット
１１  カメラ本体
２４  ズームリング
４０  固定筒
４１  移動筒
４１ｃ  収納部
５２  第２群レンズ
５１  ＣＣＤ
７０  位置検出センサ
７１  制御部
７２  ＦＰＣ
【図１】
2006276442.tif 000003
【図２】
2006276442.tif 000004
【図３】
2006276442.tif 000005
【図４】
2006276442.tif 000006
【図５】
2006276442.tif 000007
【図６】
2006276442.tif 000008
【図７】
2006276442.tif 000009